(57)【要約】【解決手段】第１の槽本体２６ａを有する作用水槽２６と、この第１の槽本体２６ａ内に収納される第２の槽本体２８ａを有する霧化液槽２８とを備え、霧化液槽２８が作用水槽２６を含む加湿器本体から取り出し得るように構成され、上記加湿器本体から取り出された霧化液槽２８が第２の槽本体２８ａを宙吊り状態で支持する支持脚部４１ｂを有する加湿器２１において、上記加湿器本体に取付けられた霧化液槽２８の支持脚部４１ｂが第１の槽本体２６ｂの外側に位置するように構成した。【効果】支持脚部２８ａが作用水２５で濡れて霧化液槽が載置される処置台、カート、その他の台類の上などの平坦面上が濡れる恐れがなく、また、作用水２５で濡れた支持脚部４１ｂに付着した病原菌が作用水２５に混ざりこむ恐れもなく、したがって、作用水２５中で病原菌が増殖して作用水２５が劣悪な状態になる恐れもなく、さらに、その構成も簡単である。【選択図】　　　図２
2004125276.tif 000002
【特許請求の範囲】
【請求項１】
第１の槽本体を有する作用水槽と、この第１の槽本体内に収納される第２の槽本体を有する霧化液槽とを備え、
上記霧化液槽が上記作用水槽を含む加湿器本体から取り出し得るように構成され、
上記加湿器本体から取り出された上記霧化液槽が上記第２の槽本体を宙吊り状態で支持する支持脚部を有する加湿器において、
上記加湿器本体に取付けられた上記霧化液槽の上記支持脚部が上記第１の槽本体の外側に位置するように構成したことを特徴とする加湿器。
【請求項２】
上記支持脚部が平面的に見てほぼＵ字形状に形成されていることを特徴とする請求項１に記載の加湿器。
【発明の詳細な説明】
【０００１】
【発明の属する技術分野】
本発明は、水、薬液などの液体を霧化した霧を空気などの気体と混合した混合気体を供給する医療用、その他の用途に供する加湿器に関するものである。
【０００２】
【従来の技術】
特公平８−２７０４１号公報には、基本的には図６および図７に示すような医療用加湿器が開示されている。この特公平８−２７０４１号公報に開示されている医療用加湿器（以下、「上記従来の加湿器」という）１は、図６に示すように、作用水２が貯留される作用水槽３と、この作用水槽３に取付け収納されかつ薬液４が貯留される霧化液槽５とを備えている。そして、霧化液槽５の底部には、図７に示すように、ダイヤフラム（すなわち、振動板）６が配設されている。なお、このダイヤフラム６は、ほぼ円筒形状の槽本体７と内向きフランジ部８ａを有するほぼ円筒形状の支持脚部材８との間に挾着されることによって、槽本体７に取付けられている。具体的には、支持脚部材８は、槽本体７の下端外周面に形成した雄ねじ部（図示せず）をこの支持脚部材８の上端内周面に形成した雌ねじ部（図示せず）にねじ込むことによって、槽本体７に取付けられている。そして、ダイヤフラム６の外周端は、槽本体７の内向きの下端に取付けられたパッキン９と支持脚部材８の内向きフランジ部８ａとの間に挾着されている。
【０００３】
符号１０は、槽本体７の外向きの上端に取付けられたパッキンである。そして、霧化液槽５は、このパッキン１０を作用水槽３の上端に載置させることによって、この作用水槽３に取付け収納されている。また、霧化液槽５の上面は、図６に示すように、カバー部材１１によって覆われている。さらに、符号１２は作用水槽３の底部に配設された超音波振動子であり、符号１３は作用水槽３が取付け収納された外筐である。
【０００４】
上述のように構成された上記従来の加湿器１においては、消毒あるいは滅菌された霧化液槽５は、図７に示すように、作用水槽３から取外された単体の状態で処置台、カート、その他の台類の上に一時的に載置されることが多い。また、霧化液槽５に薬液４を補充あるいは充填する場合にも同様に、この霧化液槽５は、単体の状態で処置台、カート、その他の台類の上に一時的に載置される。
【０００５】
【発明が解決しようとする課題】
ところで、上記従来の加湿器１の霧化液槽５が載置される上述のような処置台、カート、その他の台類は、通常、滅菌や消毒が行われることがほとんどなく、せいぜい清拭される程度のものであるから、病原菌が多く付着していることがある。したがって、このような台類の上に霧化液槽５が図７に示す状態で載置された場合、この霧化液槽５の支持脚部材８が病原菌で汚染される恐れが生じる。
【０００６】
さらに、このように病原菌で汚染された霧化液槽５が加湿器１に図６に示すように組み込まれて作用水槽３に取付け収納されると、霧化液槽５の支持脚部材８が作用水槽３の作用水２に浸漬されるので、支持脚部材８に付着している病原菌が作用水槽３の作用水２に混ざりこむ。このために、作用水槽３内の作用水２が超音波振動子１２によって温められることとあいまって、この混ざりこんだ病原菌が作用水槽３の作用水中２で増殖する。特に、長時間にわたって作用水槽３の作用水２を交換しなかった場合には、この作用水２は病原菌の増殖によって劣悪な状態になる。
【０００７】
上記従来の加湿器１においては、上述のように作用水槽３が病院内の汚染源となる可能性を秘めており、このようなことは、できるだけ回避されるべきである。
【０００８】
本発明は、上記従来の加湿器の上述のような欠点を比較的簡単な構成によって効果的に是正し得るようにしたものである。
【０００９】
【課題を解決するための手段】
本発明は、第１の槽本体を有する作用水槽と、第１の槽本体内に収納される第２の槽本体を有する霧化液槽とを備え、上記霧化液槽が上記作用水槽を含む加湿器本体から取り出し得るように構成され、上記加湿器本体から取り出された上記霧化液槽が上記第２の槽本体を宙吊り状態で支持する支持脚部を有する加湿器において、上記加湿器本体に取付けられた上記霧化液槽の上記支持脚部が上記第１の槽本体の外側に位置するように構成したものである。
【００１０】
この場合、上記支持脚部は、平面的に見て閉ループ状（すなわち、完全ループ状）であってもよいが、平面的に見てほぼＵ字形状などの開ループ状であるのが好ましい。なお、本文において、「開ループ状」とは、閉ループ状の状態において一ヶ所または複数ヶ所（好ましくは、一ヶ所）の途切れ部分を有している不完全なループ状を意味している。
【００１１】
【発明の実施の態様】
つぎに、本発明を医療用加湿器に適用した一実施例を、「（１）加湿器の構成」および「（２）加湿器の作用」に項分けして、図１〜図５を参照しつつ説明する。
【００１２】
（１）加湿器の構成
本発明による医療用加湿器２１は、図１〜図２に示すように、底板部２２と、この底板部２２がその下面開口２３に取付けられた外筐部２４と、作用水２５が貯留される作用水槽２６と、この作用水槽２６にその槽本体２８ａが収納されかつ薬液２７が貯留される霧化液槽２８とを備えている。なお、図示の実施例においては、作用水槽２６のほぼカップ形状の槽本体２６ａは、外筐部２４と一体に成形されているが、別体に構成されて外筐部２４に接着、ねじ止め、嵌めこみなどにより一体的に取付けられていてもよい。
【００１３】
外筐部２４内には、図３などに示すように、作用水槽２６と送風機ユニット３１とが取付け収納されている。また、外筐部２４の前面には、図１に示すように、操作ボタン（図示せず）などが設けられた操作盤３２や、上記操作ボタンなどによる操作内容などを表示する表示パネル３３が設けられている。さらに、霧化液槽２８の底部には、図２などに示すように、超音波振動子などの振動子３４が配設されている。具体的には、作用水槽２６の槽本体２６ａの底部に中央開口３５が設けられ、この中央開口３５において振動子３４が取付け部材３７を介して槽本体２６ａに取付けられている。
【００１４】
霧化液槽２８の上面は、図２などに示すように、ほぼカップ形状のカバー部材３６によって覆われている。また、このカバー部材３６の周側面には、図３などに示すように、空気導入用のパイプ部３６ａが設けられている。そして、このパイプ部３６ａは、外筐部２４に設けられた接続用のパイプ部２４ａを介して送風機ユニット３１の空気導出用のパイプ部３１ａに連通している。さらに、カバー部材３６の上端には、混合気体導出用のパイプ部３６ｂが設けられている。
【００１５】
霧化液槽２８は、図４および図５に示すように、基本的には、支持部材４１、リング状のパッキン４２およびほぼカップ形状のダイヤフラム（すなわち、振動板）４３とから成っている。そして、支持部材４１は、ほぼ円筒形状の垂直壁部４１ａと、平面的に見てほぼＵ字形状でかつ下方に向って多少末広がりでかつ外方に向って多少凸状に彎曲している支持脚部４１ｂと、垂直壁部４１ａの下端から外向きに支持脚部４１ｂの上端までほぼ水平に延びるほぼ環状（すなわち、ほぼ閉ループ状）の水平壁部４１ｃと、この水平壁部４１ｃの下面（その径方向における中間部分）からほぼ下方に向ってほぼ円筒形状に突出している係合部４１ｄと、垂直壁部４１ａ（その上下方向における中間部分）から内向きでかつほぼ水平に突出してからほぼ下方に向って突出しているほぼ円環形状でかつ断面がほぼ逆Ｌ字形状の支持壁部４１ｅとから成っている。なお、図示の実施例においては、支持脚部４１ｂは、垂直壁部４１ａ、水平壁部４１ｃ、係合部４１ｄおよび支持脚部４１ｅと一体に成形されているが、水平壁部４１ｃなどに接着、ねじ止め、嵌め込みなどにより一体的に取付けられていてもよい。また、水平壁部４１ｃの内周面の形状は、図４に示すように、垂直壁部４１ａの下端外周囲の形状と実質的に同一の形状（すなわち、ほぼ円形状）であってよい。さらに、水平壁部４１ｃの外周囲の形状は、支持脚部４１ｂの上端内周囲の形状と実質的に同一の形状（すなわち、その一側端側がほぼＵ字形状でかつその他側端側がほぼ直線状）であってよい。したがって、支持脚部４１は、その一側面（図示の実施例の場合には、右側面）と底面と上面のほぼ中央とがそれぞれ開口している。
【００１６】
本文において、「霧化液槽２８の支持脚部４１ｂ」とは、図５に例示するように、加湿器本体（すなわち、医療用加湿器２１から霧化液槽２８および必要な場合にはカバー部材３６を取外した残りの部分）から霧化液槽２８を取外して薬液２７が溢れないように処置台、カート、その他の台類の上などの平坦面上に載置したときに、その下端が上記平坦面上に接触する部分を意味している。
【００１７】
霧化液槽２８のほぼカップ状の槽本体２８ａは、図５に示すように、その底部中央においてほぼ下方に向ってほぼ半球状に膨出する膨出部４３ａを有するほぼカップ形状のダイヤフラム４３と、このダイヤフラム４３がその内周面および上面に接触しているほぼ円環形状でかつ断面がほぼ逆Ｌ字形状の支持壁部４１ｅと、上記ダイヤフラム４３の上端部（すなわち、自由端部）をこの支持壁部４１ｅの上面との間で挾着しているリング状のパッキン４２と、このパッキン４２の外周面がその内周面に接触しているほぼ円筒形状の垂直壁部４１ａの上半部分とによって構成されている。なお、リング状パッキン４２は、その上面でかつ内周面側に形成されたリング状の係合溝４２ａと、その下面でかつ外周面側に形成されたリング状の収納溝４２ｂとを備えている。そして、上記リング状係合溝４２ａには、ほぼカップ形状のカバー部材３６の下端部が着脱可能に差し込まれている。また、上記リング状収納溝４２ｂには、ダイヤフラム４３の自由先端部の先端が収納されている。
【００１８】
カバー部材３６の下端部附近には、図１〜図３に示すように、この下端附近から外向きでかつほぼ水平に突出してから外向きでかつ斜め下方に延びかつ外方に向って多少凸状に彎曲しているほぼリング状の外側カバー部３６ｃが一体的に形成（図示の実施例では一体成形）されている。そして、この外側カバー部３６ｃは、パッキン４２のリング状係合溝４２ａよりも外周面側の上面と、支持部４１ｃの大部分（すなわち、外周面附近を除く残りの部分）とを上方から覆っている。また、外側カバー部３６ｃのほぼリング状の下端は、水平壁部４１ｃの上面に隣接するか、あるいは、接触し得るようになっている。さらに、カバー部材３６の混合気体導出用パイプ部３６ｂの外周面には、加湿器１の使用時に混合気体移送用ホース（図示せず）をパイプ部３６ｂに接続するときや加湿器１の不使用時にパイプ３６ｂをキャップ（図示せず）で封をするときにこれらの混合気体移送用ホースやキャップを係止するためのほぼリング状の係止溝４４が形成されている。
【００１９】
作用水槽２６の槽本体２６ａの上端部には、図２および図３に示すように、外向きでかつほぼリング状の段部４５が形成されている。そして、この段部４５によって槽本体２６ａの上端部（すなわち、この段部４５と槽本体２６ａの上端との間に存在する部分）に大径部４７が形成されている。なお、段部４５の奥行き（すなわち、この段部４６付近の槽本体２６ａの厚さ方向における段部４５の平面の幅）は、係合部４１ｄの下端附近の厚みとほぼ同一であってよい。また、大径部４７の上下方向における長さ（すなわち、高さ）は、係合部４１ｄの上下方向における長さとほぼ同一であってよい。さらに、大径部４７には、図２および図３に示すように、支持部材４１のほぼ円筒形状の係合部４１ｄが着脱可能に嵌合（すなわち、挿入）されている。この場合、係合部４１ｄの下端は、段部４５の平面に隣接するか、あるいは、接触するようになっている。
【００２０】
作用水槽２６は、ほぼ環状（すなわち、ほぼ閉ループ状）の連結部２６ｂを介して槽本体２６ａと連結されている外壁部２６ｃを備えている。なお、これらの連結部２６ｂおよび外壁部２６ｃは、図示の実施例においては、槽本体２６ａ（ただし、振動子３４および取付部材３７を除く）と一体に成形されているが、別体に構成されて上記槽本体２６ｂに接着、ねじ止め、嵌めこみなどにより一体的に取付けられていてもよい。また、連結部２６ｂの内周囲の形状は、図１〜図３に示すように、作用水槽２６の槽本体２６ａの上端の形状と実質的に同一の形状（すなわち、ほぼ円形状）であってよい。また、連結部２６ｂの外周囲の形状は、支持部材４１の支持脚部４１ｂの形状と実質的に同一の形状（すなわち、その一側端側がほぼＵ字形状でかつその他側端側がほぼ直線状）であってよい。そして、霧化液槽２８の支持部材４１の水平壁部４１ｃは、ほぼ環状の連結部２６ｂの上面に載置されている。
【００２１】
図１〜図３に示すように、外壁部２６ｃの形状は支持部材４１の支持脚部４１ｂの形状とほぼ同一であってよいので、外壁部２６ｃは平面的に見てほぼＵ字形状でかつ下方に向って多少末広がりでかつ外方に向って多少凸状に彎曲している。また、外壁部２６ｃの下端は外向きでかつ平面的に見てほぼＵ字状の段部４６を介して外筺部２４に連結されている。なお、段部４６は外筺部２４のほぼ全周囲または部分的（図示の実施例においては、全周囲から右側面を除いた残りの部分）に形成されていてもよいし、あるいは、支持脚部４１ｂの下端に対応する部分のみに形成されていてもよい。また、段部４６の奥行き（すなわち、この段部４６付近の外壁部２６ｃの厚さ方向における段部４６の平面の幅）は、支持脚部４１ｂの対応する下端付近の厚みとほぼ同一であってよい。したがって、霧化液層２８を前記加湿器本体に取付けた状態においては、支持脚部４１ｂは外壁部２６ｃにほぼ重なり合うとともに、支持脚部４１ｂの下端は段部４６の平面に隣接するか、あるいは、接触していてよい。換言すれば、支持脚部４１ｂは、連結部２６ｂと段部４６との間における外壁部２６ｃの外側空間に格納されている。さらに、平面的に見てほぼＵ字形状の外壁部２６ｃの前側端および後側端（換言すれば、このほぼＵ字形状の前後一対の自由端）は、図１に示すように、外筺部２４に一体的に連なっていてよい。
【００２２】
したがって、霧化液槽２８を前記加湿器本体に取付けた状態において、霧化液槽２８の槽本体２８ａは、その上端部を除いて、作用水槽２６の槽本体２６ａに収納されているが、支持部材４１の支持脚部４１ｂは、槽本体２６ａの外側（さらに外壁部２６ｃの外側）に位置している。なお、外壁部２６ｃの外周面に係合用の条溝（図示せず）適当数設けるとともに、支持脚部４１ｂの内周面にこれらの係合条溝にそれぞれ対応する係合用の突条部（図示せず）を一体成形などにより適当数設けることができる。この場合、これらの係合用突条部を上記係合用条溝に係合させることによって、作用水槽２６に対する霧化液槽２８の回り止め（さらに必要な場合には浮き上がり防止）を行うことができる。また、霧化液槽２８の支持部材４１の垂直壁部４１ａの外周面に係合用の鉤状部（図示せず）を一体成形などにより適当数設けるとともに、カバー部材３６の外側カバー部３６ｃの内周面にこれらの係合用鉤状部にそれぞれ対応する被係合用の鉤状部（図示せず）を一体形成などにより適当数設けることができる。この場合、これらの被係合用の鉤状部を上記係合用の鉤状部に係合させることによって、霧化液槽２８に対するカバー部材３６の回り止め（さらに必要な場合には浮き上がり防止）を行うことができる。
【００２３】
図１〜図３に示す加湿器１においては、霧化液槽２８の槽本体２８ａ内の薬液２７が、この槽本体２８ａの内周面の上端を乗り越えて外方へ向って溢れ出たとしても、作用水槽２６の槽本体２６ａ内に流入する恐れはほとんどない。なぜならば、外方へ向って溢れ出た薬液２７はパッキン４２の存在のために支持部材４１の垂直壁部４１ａの外周面を伝わって水平壁部４１ｃの上面に至る。そして、この上面に至った薬液２７の大部分は支持脚部４１ｂの外周面を伝わって外部に放出される。なお、底板部２２の下面には、ゴム製などの弾性体からなりかつ円盤形状などの小径の脚が適当数設けられていてもよい。
【００２４】
（２）加湿器の作用
つぎに、上述のように構成された本発明による医療用加湿器１の作用を図１〜図５を参照しつつ説明する。
【００２５】
図１〜図５に示す医療用加湿器１を使用する際には、予め、混合気体移送用ホース（図示せず）をカバー部材３６の混合気体移送用パイプ部３６ｂに接続する。そして、上記混合気体移送用ホースの先端（すなわち、自由端）に取付けられたマスク（図示せず）を患者の口部に装着させる。
【００２６】
ついで、操作盤３２の操作ボタンなどを操作することにより電源を投入して、振動子３４を振動動作させるとともに、送風機ユニット３１内の送風機（図示せず）を回転駆動させる。この結果、振動子３４の振動が作用水槽２６の槽本体２６ａ内の作用水２５および霧化液槽２８のダイヤフラム４３を介して槽本体２８ａ内の薬液２７に伝播される。このために、この薬液２７が加振されて霧化されるので、槽本体２８ａおよびカバー部材３６によって包囲されているほぼ卵形状の混合用内部空間４８において薬液２７の霧が発生する。
【００２７】
一方、上記送風機が回転すると、外筺部２４に形成されている空気導入用開口（図示せず）からこの送風機の吸引力によって空気が外筺部２４内に導入される。そして、この導入された空気は、送風機ユニット３１を通ってから、その空気導出用パイプ部３１ａ、外筺部２４の接続用パイプ部２４ａおよびカバー部材３６の空気導入用パイプ部３６ａを通して混合用内部空間４８に送りこまれる。このために、この混合用内部空間４８において、この送りこまれてきた空気がここにおいて発生した上記薬液２７の霧と混合されて混合気体（すなわち、医療用ミスト）になる。ついで、混合用内部空間４８において発生した混合気体は、カバー部材３６の混合気体導出用パイプ部３６ｂ、前記混合用気体移送用ホースおよび前記マスクを通して患者に吸引される。
【００２８】
つぎに、霧化液槽２８の槽本体２８ａに薬液２７を補充あるいは充填する場合には、カバー部材３６および霧化液槽２８が前記加湿器本体（すなわち、外筺部２４および作用水槽２６）から取外される。この場合、カバー部材３６および霧化液槽２８が加湿器本体から同時にかつ一体的に取外された後に、カバー部材３６が霧化液槽２８から取外されてもよいし、あるいは、カバー部材３６が霧化液槽２８から取外された後に、霧化液槽２８が加湿器本体から取外されてもよい。
【００２９】
つぎに、霧化液槽２８は、図５に示すように、槽本体２８ａに貯留される薬液２７が溢れないよう状態（換言すれば、上下方向の位置関係を実質的に変えない状態）でかつ単体の状態で処置台、カート、その他の台類の上のような平坦面上に一時的に載置される。この場合、図５に示すように、霧化液槽２８の槽本体２８ａをほぼ宙吊りに支持した状態で霧化液槽２８の支持部材４１の支持脚部４１ｂの平面的に見てほぼＵ字形状の下端面が上記平坦面に接触する。そして、霧化液槽２８は、その槽本体２８ａに薬液２７を補充あるいは充填される。また、霧化液槽２８は、場合によっては、事前に消毒あるいは滅菌されてから上述のような平坦面上に載置される。ついで、霧化液槽２８およびカバー部材３６は、上述の取外しの場合とは逆の操作でもって加湿器本体に取付けられるので、既述の場合と同様にして再び加湿器として使用することができる。
【００３０】
上述のとおりであるから、本発明による図示の加湿器１によれば、
（ａ）霧化液槽２８を加湿器本体に取付けた状態において、霧化液槽２８の支持部材４１の支持脚部４１ｂが作用水槽２６の槽本体２６ａの外側に位置するようにしたので、支持脚部４１ｂ（特に、その下端部分）が槽本体２６ａに貯留されている作用水２５に接触する恐れがなく、このために、支持脚部４１ｂが作用水２５で濡れて霧化液槽２８が載置される処置台、カート、その他の台類の上面などの平坦面を濡らす恐れがなく、また、作用水２５で濡れた支持脚部４１ｂに付着した病原菌が作用水２５に混ざりこむ恐れもなく、したがって、作用水２５中で病原菌が増殖して作用水２５が劣悪な状態になる恐れもなく、さらに、その構成も簡単である。
【００３１】
（ｂ）支持脚部４１ｂが霧化液槽２８の一側面を除くほぼ全周囲に平面的に見てほぼＵ字形状に形成されているので、霧化液槽２８を単体の状態で処置台、カート、その他の台類の上などの平坦面上に載置したときに安定した状態で載置することができ、また、加湿器本体への霧化液槽２８の取付けを簡単でコンパクトで見栄えのよい構造でもって行うことができる。
という効果を奏する。
【００３２】
以上において、本発明の一実施例につき詳細に説明したが、本発明は、この実施例に限定されるものではなく、特許請求の範囲に記載された発明の趣旨に基づいて各種の変更および修正が可能である。
【００３３】
例えば、上述の実施例においては、本発明を医療用加湿器１に適用したが、本発明は、室内の空気を加湿する室内用加湿器やその他の用途に供する加湿器にも適用することができる。
【００３４】
また、上述の実施例においては、霧化液槽２８の支持脚部４１ｂを平面的に見てほぼＵ字形状（換言すれば、開ループ状）にしたが、平面的に見てほぼ円形状、ほぼ正方形状、ほぼ長方形状などの閉ループ状にしてもよく、また、ほぼ長方形状（ただし、一辺を除く）などの別の開ループ状にしてもよく、さらに、間欠的に複数の支持脚部を設けるようにしてもよい。
【００３５】
さらに、上述の実施例においては、カバー部材３６を加湿器本体（すなわち、外筐部２４、底板部２２および作用水槽２６ならびにこれらの内部構造）および霧化水槽２８とは別に単体の状態で構成したが、上記加湿器本体または霧化液槽２８に往復動可能（例えば、往復回動可能）に取付けられていてもよい。そして、この場合には、カバー部材３６が往動することによって霧化液槽２８の槽本体２８ａの上端開口が開放されるとともにに、カバー部材３６が復動することによって上記上端開口が閉鎖されるようにすればよい。
【００３６】
【発明の効果】
本発明によれば、霧化液槽を加湿器本体に取付けた状態において、霧化液槽の支持脚部が作用水槽の第１の槽本体の外側に位置するようにしたので、支持脚部（特に、その下端部分）が第１の槽本体に貯留されている作用水に接触する恐れがなく、このために、支持脚部が作用水で濡れて霧化液槽が載置される処置台、カート、その他の台類の上などの平坦面上を濡らす恐れがなく、また、作用水で濡れた支持脚部に付着した病原菌が作用水に混ざりこむ恐れもなく、したがって、作用水中で病原菌が増殖して作用水が劣悪な状態になる恐れもなく、さらに、その構成も簡単である。
【００３７】
また、請求項２に記載の発明によれば、支持脚部が平面的に見てほぼＵ字形状に形成されているので、霧化液槽を単体の状態で処置台、カート、その他の台類の上などの平坦面上に載置したときに安定した状態で載置することができ、また、加湿器本体への霧化液槽の取付けを簡単でコンパクトで見栄えのよい構造でもって行うことができる。
【図面の簡単な説明】
【図１】本発明を医療用加湿器に適用した一実施例における加湿器全体の正面図である。
【図２】図１のＩＩ−ＩＩ線に沿った断面図である。
【図３】図２のＩＩＩ−ＩＩＩ線に沿った断面図である。
【図４】図２に示す霧化液槽の平面図である。
【図５】図４のＶ−Ｖ線に沿った断面図である。
【図６】特公平８−２７０４１号公報に開示されている従来の医療用加湿器の図３に相当する縦断面図である。
【図７】図６に示す霧化液槽の図５に相当する拡大縦断面図である。。
【符号の説明】
２１　　　　　　　医療用加湿器
２２　　　　　　　底板部
２４　　　　　　　外筐部
２６　　　　　　　作用水槽
２６ａ　　　　　　第１の槽本体
２８　　　　　　　霧化液槽
２８ａ　　　　　　第２の槽本体
４１　　　　　　　支持部材
４１ｂ　　　　　　支持脚部
【図１】
2004125276.tif 000003
【図２】
2004125276.tif 000004
【図３】
2004125276.tif 000005
【図４】
2004125276.tif 000006
【図５】
2004125276.tif 000007
【図６】
2004125276.tif 000008
【図７】
2004125276.tif 000009